(57)【特許請求の範囲】
【請求項１】
引戸が開閉される引戸装置に用いられ、
前記引戸に取り付けられ、前記引戸が開いた状態で前記引戸を戸開方向に押すことによって、前記引戸が戸閉方向に押し出されるプッシュラッチ機構部と、
前記引戸に取り付けられ、前記引戸の閉じ際に引戸を戸閉方向へと移動させる捕捉引込機構部と、
開閉方向に延在するガイドレールに取り付けられ、前記引戸が開いた状態または前記引戸の閉じ際に前記プッシュラッチ機構部または前記捕捉引込機構部によって捕捉される被捕捉部材と、を備え、
前記プッシュラッチ機構部および前記捕捉引込機構部を開閉方向に直列に連結し、前記引戸の戸閉側の上部に取り付けたことを特徴とするプッシュラッチ付引戸クローザー。
【請求項２】
前記プッシュラッチ機構部は、
前記引戸と共に開閉方向へ移動するケース本体と
前記ケース本体に対して開閉方向に移動可能なスライド部と、
前記ケース本体に対して前記スライド部を開閉方向に引張する引張ばねと、
前記スライド部に取り付けられ、前記引戸が開いた状態で前記被捕捉部材を捕捉する捕捉部と、
前記スライド部に取り付けられ、前記引戸が開いた状態で前記ケース本体のラッチ受けと係合するラッチと、を備えたことを特徴とする請求項１に記載のプッシュラッチ付引戸クローザー。
【請求項３】
前記ラッチにはラッチ用突部が設けられ、前記ケース本体には前記ラッチ用突部を誘導し前記ラッチを動作させるラッチ誘導溝が設けられ、前記ラッチ誘導溝は、前記引戸が前記ばねの引張力を超える力で開かれたときに、前記ラッチが前記ラッチ受けと係合しないように前記ラッチを誘導するようにしたことを特徴とする請求項２に記載のプッシュラッチ付引戸クローザー。
【請求項４】
前記ラッチ誘導溝には、前記ラッチが係合しないときに前記ラッチが戸閉側に移動可能な衝撃緩和溝が設けられていることを特徴とする請求項３に記載のプッシュラッチ付引戸クローザー。
【発明の詳細な説明】
【技術分野】
【０００１】
本発明は、引戸装置に取り付けられるプッシュラッチ付引戸クローザーに関する。
【背景技術】
【０００２】
従来、引戸装置には、引戸を閉じるときに引戸が完全に閉じた位置まで引戸を移動させるための引戸クローザー（開閉体閉止装置）が設けられることがある。これによれば、引戸が中途半端に閉じた状態になるのを防止することができる。この引戸クローザーは、建屋開口の上側に取り付けられたガイドレール内を開閉方向に自由に移動できるようになっている。また、引戸は、戸開側の上端部が引戸クローザーに吊り下げられるようにして取り付けられる（例えば、特許文献１参照）。
【０００３】
また、引戸装置には、上述した引戸クローザーとは別に、引戸が完全に開いた位置で引戸をキャッチし、引戸が閉じる方向へ移動するのを防止するためのプッシュラッチ装置が設けられることがある。このプッシュラッチ装置は、引戸を開く方向にさらに押し込むとキャッチした状態が解除され、引戸を閉方向へ移動させる。このプッシュラッチ装置は、引戸装置の構造として、引戸の取手を掴むことができない場合、例えば、開いた引戸が戸袋内に完全に納まってしまうような場合に設けられることがある。
【０００４】
このようなプッシュラッチ装置では、一般的な構造として、ハート型に形成されたガイド路内を制御ピンを移動させるものが知られている（例えば、特許文献２参照）。
【先行技術文献】
【特許文献】
【０００５】
【特許文献１】特開２０１２−１５８９５７号公報
【特許文献２】特表２０１４−５１６６４９号公報
【発明の概要】
【発明が解決しようとする課題】
【０００６】
引戸クローザーは、メンテナンス等がし易いように、引戸の戸閉側の上端部に取り付けられる。一方、引戸クローザーとプッシュラッチ装置とを両方設ける場合、プッシュラッチ装置は、引戸クローザーを避けた位置、すなわち、引戸の戸閉側の上端部以外の箇所に取り付けられる。より詳細には、引戸の戸開側の上端部或いは下端部に取り付けられるようになる。
【０００７】
しかしながら、戸開側に取り付けられたプッシュラッチ装置は、開いたときに引戸が戸袋内に収納されるような構造の引戸装置では、戸袋の奥側に位置するようになる。そのため、メンテナンス作業を容易に行うことができない。
【０００８】
本発明は、上述した事情を鑑みてなされたものであり、その目的は、引戸クローザーとプッシュラッチ装置の両方を取り付ける場合であっても、それぞれを容易にメンテナンスすることができるプッシュラッチ付引戸クローザーを提供するためのものである。
【課題を解決するための手段】
【０００９】
上述課題を解決するため、本発明に係るプッシュラッチ付引戸クローザーは、引戸が開閉される引戸装置に用いられ、前記引戸に取り付けられ、前記引戸が開いた状態で前記引戸を戸開方向に押すことによって、前記引戸が戸閉方向に押し出されるプッシュラッチ機構部と、前記引戸に取り付けられ、前記引戸の閉じ際に引戸を戸閉方向へと移動させる捕捉引込機構部と、開閉方向に延在するガイドレールに取り付けられ、前記引戸が開いた状態または前記引戸の閉じ際に前記プッシュラッチ機構部または前記捕捉引込機構部によって捕捉される被捕捉部材と、を備え、前記プッシュラッチ機構部および前記捕捉引込機構部を開閉方向に直列に連結し、前記引戸の戸閉側の上部に取り付けたことを特徴とする。
【００１０】
また、前記プッシュラッチ機構部は、前記引戸と共に開閉方向へ移動するケース本体と
前記ケース本体に対して開閉方向に移動可能なスライド部と、前記ケース本体に対して前記スライド部を開閉方向に引張する引張ばねと、前記スライド部に取り付けられ、前記引戸が開いた状態で前記被捕捉部材を捕捉する捕捉部と、前記スライド部に取り付けられ、前記引戸が開いた状態で前記ケース本体のラッチ受けと係合するラッチと、を備えていてもよい。
【００１１】
さらに、前記ラッチにはラッチ用突部が設けられ、前記ケース本体には前記ラッチ用突部を誘導し前記ラッチを動作させるラッチ誘導溝が設けられ、前記ラッチ誘導溝は、前記引戸が前記ばねの引張力を超える力で開かれたときに、前記ラッチが前記ラッチ受けと係合しないように前記ラッチを誘導するようにしてもよい。
【００１２】
さらにまた、前記ラッチ誘導溝には、前記ラッチが係合しないときに前記ラッチが戸閉側に移動可能な衝撃緩和溝が設けることもできる。
【発明の効果】
【００１３】
本発明に係るプッシュラッチ付引戸クローザーでは、前記プッシュラッチ機構部および前記捕捉引込機構部を開閉方向に直列に連結し、前記引戸の戸閉側の上部に取り付けているので、従来のようにプッシュラッチ機構部を引戸の戸開側の上端部或いは下端部に配置する必要がなくなり、メンテナンス作業等を容易に行うことができる。
【図面の簡単な説明】
【００１４】
【図１】本発明に係るプッシュラッチ付引戸クローザーを備えた引戸装置の上部の正面図であって、引戸が開閉方向（紙面左右方向）における中間に位置する状態を示したものである。
【図２】戸袋内に引戸が収納されるタイプの引戸装置を上側から見た平面図である。
【図３】本体部を単体で斜め上側から見た斜視図である。
【図４】図３の状態から本体部を捕捉引込機構部とプッシュラッチ機構部とに分解した状態を示す斜視図である。
【図５】プッシュラッチ機構部を単体で斜め上側から見た分解斜視図である。
【図６】ケース本体の正面図である。
【図７】プッシュラッチ機構部の内部を説明するための正面図であって、蓋部を省略して示したものである。
【図８】ラッチ誘導溝の拡大図である。
【図９】図８のＡ−Ａ断面図である。
【図１０】図８のＢ−Ｂ断面図である。
【図１１】図８のＣ−Ｃ断面図である。
【図１２】プッシュラッチ機構部の動作を説明する図であって、（Ａ）は捕捉部が被捕捉部材を捕捉した状態、（Ｂ）はラッチが動作した状態を示す正面図である。
【図１３】プッシュラッチ機構部の動作を説明する図であって、（Ａ）はラッチが解除された状態、（Ｂ）は引張ばねが引戸を閉方向へ引き出した状態を示す正面図である。
【発明を実施するための最良の形態】
【００１５】
以下、本発明の実施の形態に係るプッシュラッチ付引戸クローザーについて、図１〜図６を用いて詳細に説明する。なお、本実施の形態では、プッシュラッチ付引戸クローザー１０を引戸装置に使用したものについて説明する。
【００１６】
図１は、本発明に係るプッシュラッチ付引戸クローザー１０を備えた引戸装置の上部の正面図であって、引戸２が開閉方向（紙面左右方向）における中間に位置する状態を示したものである。また、図２は、戸袋４内に引戸２が収納されるタイプの引戸装置を上側から見た平面図である。
【００１７】
なお、以下の説明で使用する「戸閉側」とは、図１の左側をいうものとし、「戸開側」とは、図１の右側をいうものとする。
【００１８】
図１に示す引戸装置は、建物の開口部の上縁部に沿って開閉方向に延在するガイドレール１と、このガイドレール１に沿って前後方向へ移動することで開口部を開閉する引戸２（開閉体）と、プッシュラッチ付引戸クローザー１０とで構成されている。
【００１９】
このプッシュラッチ付引戸クローザー１０は、ガイドレール１の戸閉側に配設された被捕捉部材１１と、ガイドレール１の戸開側に配設された被捕捉部材１１と、このガイドレール１上を前後方向に沿って走行可能なプッシュラッチ付引戸クローザー本体部２０（以下、本体部２０という）とで構成されている。
【００２０】
２つの被捕捉部材１１は、図１に示すように、下側に向けて突出する突部１１ａを有する凸形状に形成されている。これらの被捕捉部材１１は、本体部２０の構造に合わせて、戸閉側および戸開側の所定の位置にそれぞれ取り付けられている（詳細は後述する）。
【００２１】
本体部２０は、下側が開口する断面コ字形状のガイドレール１の内方に収容されており、ガイドレール１の開閉方向に沿って移動可能に取り付けられている。より詳細には、本体部２０には、その戸開側と戸閉側とのそれぞれにガイドローラ２１（図１において、前側に４個、後側に２個）が設けられており、このガイドローラ２１がガイドレール１の転動面１ａ上を転動することによって、本体部２０がガイドレール１の開閉方向に自由に移動できるようになっている。
【００２２】
また、本体部２０の戸閉側部分には、吊り下げ部３０が設けられている。この吊り下げ部３０には、引戸２の上端角部（図１の紙面左斜め上の角部）が取り付けられており、引戸２の戸閉側端部を吊り下げる態様で支持している。これにより、引戸２を開閉方向に移動させると、本体部２０のガイドローラ２１がガイドレール１上を転動し、引戸２が開閉方向にスムーズに開閉することになる。
【００２３】
なお、本体部２０ではないが、引戸２の右側の上端角部にも吊り下げ部４０が取り付けられている。この吊り下げ部４０は、引戸２の戸開側端部を吊り下げる態様で支持しており、引戸２は、ガイドレール１の転動面１ａを転動可能なガイドローラ２１によって、開閉方向にスムーズに開閉するようになる。
【００２４】
さらに、本体部２０は、図１に示すように、戸閉側に位置する捕捉引込機構部５０と、戸開側に位置するプッシュラッチ機構部１００とで構成されている。
捕捉引込機構部５０は、引戸２の閉じ際に戸閉側の被捕捉部材１１の突部１１ａを捕捉し、内部に設けられた引張ばねおよび緩衝用ダンパーの作用によって引戸２を緩やかにかつ自動的に閉じた状態まで引き込む機能を有している。これにより、引戸２が半開きの状態になることがなくなる。なお、この捕捉引込機構部５０の構造は既知の技術であることから（例えば、特許文献１）、その詳細な構造および作用・効果についての説明は省略する。
【００２５】
プッシュラッチ機構部１００は、引戸２を完全に開いた状態で戸開側の被捕捉部材１１の突部１１ａを捕捉し、開いた状態から引戸２が移動しないように保持する機能を有している。また、プッシュラッチ機構部１００は、引戸２を戸開側に押したときに保持が解除され、引戸２を閉方向に少しだけ押し出す機能も有している。
【００２６】
このようなプッシュラッチ機構部１００の機能は、図２（Ａ）、図２（Ｂ）に示すように、引戸２を開いた状態で、引戸２が戸袋４内に収納されてしまうような引戸装置において必要になる。すわわち、引戸２が開いた状態では、図２（Ａ）に示すように、引戸２の取手部分が壁部３によって覆われてしまうために、手で引戸２を引き出して閉じることが困難になる。このとき、プッシュラッチ機構部１００を備えていると、引戸２を戸開方向（図２（Ａ）の矢印方向）に押すことによって、引戸２が戸閉方向に押し出されるようになる。そして、引戸２の取手を掴んで引戸２を閉じることができるようになる（図２（Ｂ）参照）。
【００２７】
図３は、本体部２０を単体で斜め上側から見た斜視図である。また、図４は、図３の状態から本体部２０を捕捉引込機構部５０とプッシュラッチ機構部１００とに分解した状態を示す斜視図である。
【００２８】
本体部２０の捕捉引込機構部５０とプッシュラッチ機構部１００とは、開閉方向に直列に連結されている。この連結は、取付ねじ２２を着脱することによって行われる。このように直列に配置することによって、例えば、プッシュラッチ機構部１００が必要ない場合には、プッシュラッチ機構部１００の代わりにガイドローラ２１のみを具備するローラー部（図示せず）を取り付けることで、捕捉引込機構部５０のみを機能させるようにすることができる。また、捕捉引込機構部５０またはプッシュラッチ機構部１００のいずれかが破損したような場合に、本体部２０を全体で交換するのではなく、いずれか破損した機構部のみを取り外して交換することができる。
【００２９】
また、開閉方向に直列に連結することで、プッシュラッチ機構部１００を捕捉引込機構部５０と同様に、引戸２の戸閉側の上端部に配置することができる。そのため、従来のようにプッシュラッチ機構部１００を引戸２の戸開側の上端部或いは下端部に配置する必要がなくなり、メンテナンス作業等を容易に行うことができる。
【００３０】
捕捉引込機構部５０の戸開側の先端部には、係合爪５１が設けられている。この係合爪５１は、プッシュラッチ機構部１００の戸閉側の先端に形成された係合穴１１３（詳細は後述する）に係合し、開閉方向で連結される。この係合爪５１は、樹脂材料によって形成されており、弾性によって内側に撓ませることで容易に係合および係合解除することができる。
【００３１】
図５は、プッシュラッチ機構部１００を単体で斜め上側から見た分解斜視図である。また、図６は、ケース本体１１０の正面図、図７は、プッシュラッチ機構部１００の内部を説明するための正面図であって、蓋部１２０を省略して示したものである。
【００３２】
プッシュラッチ機構部１００は、図５に示すように、ケース本体１１０と、蓋部１２０と、ケース本体１１０内に収容されるラッチ機構１３０とによって構成されている。
【００３３】
ケース本体１１０は、図５および図６に示すように、正面から見て角柱状に形成されており、樹脂材料によって一体に形成されている。ケース本体１１０の戸閉側の端部には、上述した係合爪５１が係合する係合穴１１３と、取付ねじ２２が挿通される取付穴１１２が設けられている。また、戸開側の端部には、ガイドローラ２１の回転軸２１ａが挿通される回転軸取付穴１１１が形成されている。
【００３４】
また、ケース本体１１０の側面中央部には、図６の紙面手前側から奥側に向かって凹むスライド溝１１８が形成されている。スライド溝１１８は、詳細は後述するラッチ機構１３０のスライド部１３２がケース本体１１０に対して開閉方向にスライドできるようになっている。
また、スライド溝１１８よりも戸開側には、ばね受け１１６が形成されている。このばね受け１１６には、ラッチ機構１３０の引張ばね１３４の戸開側端部が固定される。
【００３５】
さらに、スライド溝１１８よりも戸開側の上側には、案内溝１１４が形成されている。この案内溝１１４は、ラッチ機構１３０の捕捉部１３１を上側に回動させるためのものである。この案内溝１１４は、戸開側の下側から斜め上側に延びる傾斜溝１１４ａと、この傾斜溝１１４ａの上端から戸閉側に向かって延びる水平溝１１４ｂとで構成されている。
【００３６】
さらにまた、スライド溝１１８の戸閉側には、スライド溝１１８よりもさらに凹んだラッチ誘導溝１１５が形成されている。ラッチ誘導溝１１５は、ラッチ機構１３０のラッチ部１３３を回動させるためのものである。なお、ラッチ誘導溝１１５の詳細な構造は後述する。
【００３７】
また、ケース本体１１０には、ラッチ誘導溝１１５の下側にラッチ受け１１７が形成されている。このラッチ受け１１７は、ラッチ機構１３０のラッチ部１３３と係合する。
【００３８】
蓋部１２０は、図５に示すように、ケース本体１１０内にラッチ機構１３０を取り付けた後に、もう一方の側面を塞ぐためのものである。蓋部１２０の戸開側の端部には、ガイドローラ２１の回転軸２１ａが挿通される回転軸取付穴１２１が形成されている。
【００３９】
ラッチ機構１３０は、図５に示すように、被捕捉部材１１の突部１１ａを捕捉するための捕捉部１３１と、この捕捉部１３１が取り付けられるスライド部１３２と、このスライド部の戸閉側に取り付けられたラッチ部１３３と、引張ばね１３４とで構成されている。
【００４０】
捕捉部１３１は、図５および図７に示すように、その上側に捕捉爪１３１ａが形成されている。この捕捉部１３１は、スライド部１３２と回動軸１３１ｂによって回動自在に取り付けられている。また、捕捉部１３１の戸開側の下側には、幅方向（図７の紙面奥行き方向）外側に突出する捕捉用突部１３１ｃが形成されている。この捕捉用突部１３１ｃは、ケース本体１１０の案内溝１１４内に組み込まれ、案内溝１１４に沿って移動するようになっている。
【００４１】
スライド部１３２は、ケース本体１１０のスライド溝１１８に組み込まれ、スライド溝１１８に沿って開閉方向に自由に移動できるようになっている。このスライド部１３２の下側には、引張ばね１３４の戸閉側の端部が固定されるばね受け１３２ａが形成されている。
【００４２】
ラッチ部１３３は、その下側にラッチ爪１３３ａが形成されている。このラッチ爪１３３ａは、所定の位置でラッチ受け１１７と係合し、ラッチ機構１３０が戸開側へ移動しないようにする。また、ラッチ部１３３の戸閉側の先端には、幅方向外側に突出するラッチ用突部１３３ｂが形成されている。このラッチ用突部１３３ｂは、ケース本体１１０のラッチ誘導溝１１５内に組み込まれ、ラッチ誘導溝１１５に沿って移動するようになっている。さらに、ラッチ部１３３は、スライド部１３２と回動軸１３３ｃによって回動自在に取り付けられている。
【００４３】
引張ばね１３４は、いわゆるコイルばねであって、戸開側の一端部がケース本体１１０に固定され、他端部がスライド部１３２に固定されている。この引張ばね１３４は、ケース本体１１０に対してスライド部１３２を常に戸開側へ引っ張るようにしてある。
【００４４】
図８は、ラッチ誘導溝１１５の拡大図である。また、図９は、図８のＡ−Ａ断面図、図１０は、図８のＢ−Ｂ断面図、図１１は、図８のＣ−Ｃ断面図である。
【００４５】
ラッチ誘導溝１１５は、大まかに２つの経路が略環状に繋がるようにして形成されている。第１の経路としては、図８に示すＸ地点からＹ地点までの経路であり、第２の経路としては、Ｙ地点からＺ地点を経由してＸ地点に戻る経路である。
【００４６】
第１の経路は、Ｘ地点からＹ地点まで、第１溝１５０ａ、第２溝１５０ｂ、第３溝１５０ｃ、第４溝１５０ｄ、第５溝１５４の順に繋がって構成されている。
第１溝１５０ａは、Ｘ地点から戸閉側に略水平に延びている。
第２溝１５０ｂは、第１溝１５０ａの終端からさらに水平に延びつつ、図８の紙面奥側から手前側に向かって上り傾斜がつけられている（図８で斜線で示す部分。図９参照）。
第３溝１５０ｃは、戸閉側へ斜め下方向に向かって湾曲しながら延びている。また、第３溝１５０ｃの終端部は、図９に示すように、手前側に登り傾斜がつけられた頂上で略水平に形成されている。
【００４７】
第４溝１５０ｄは、図９に示すように、第３溝１５０ｃの頂上から第１溝１５０ａとほぼ同じ位置まで凹むように形成されている。
第５溝１５４は、図８に示すように、第４溝１５０ｄから、戸開側へ斜め下方向に延びたのち、戸開側に向かって水平に延びている。
【００４８】
上述した図８の紙面手前側への登り傾斜は、この溝内に組み込まれたラッチ用突部１３３ｂが第１溝１５０ａから第４溝１５０ｄまで移動したときに、再び同じ経路で第１溝１５０ａに戻らないようにするためのものである。
【００４９】
第２の経路は、Ｙ地点からＺ地点を経由してＸ地点まで、第５溝１５４、第４溝１５０ｄ、第６溝１５１ａ、第７溝１５２ａ、第８溝１５２ｂ、第９溝１５２ｃ、第１溝１５０ａの順に繋がって構成されている。
【００５０】
第６溝１５１ａは、第４溝１５０ｄから戸閉側へ斜め上方向に延びている。また、第２溝１５０ｂと同様に、図８の紙面奥側から手前側に向かって上り傾斜がつけられている（図８で斜線で示す部分。図１０参照）。
第７溝１５２ａは、第６溝１５１ａの終端から戸開側へ斜め上方向に延びたのち、戸開側に向かって水平に延びている。また、第７溝部１５２ａは、図１０に示すように、第６溝１５１ａの頂上から第１溝１５０ａとほぼ同じ位置まで凹むように形成されている。
第８溝１５２ｂは、第７溝１５２ａの終端からさらに戸開側に水平に延びるとともに、図８の紙面奥側から手前側に向かって上り傾斜がつけられている（図８で斜線で示す部分。図１１参照）。
第９溝１５２ｃは、第８溝１５２ｂの終端から戸開側へ斜め下方向に湾曲しながら延びており、その終端が第１溝１５０ａに繋がっている。
【００５１】
また、ラッチ誘導溝１１５には、第７溝１５２ａの戸閉側端部（Ｚ地点）から戸閉側に向かって水平に延びる衝撃緩和溝１５５が形成されている。
【００５２】
次に、プッシュラッチ機構部１００の動作について図７、図１２および図１３を用いて説明する。
図７で示す状態は、プッシュラッチ機構部１００の捕捉部１３１が被捕捉部材１１の突部１１ａを捕捉していない状態である。このとき、スライド部１３２は、引張ばね１３４によって戸開側へ引き寄せられている。また捕捉部１３１の捕捉用突部１３１ｃは、傾斜溝１１４ａの戸開側の下部に位置する。さらに、ラッチ部１３３のラッチ用突部１３３ｂは、第１溝１５０ａの戸開側（Ｘ地点）に位置する。
【００５３】
図７の状態から引戸２を戸開側に移動すると、プッシュラッチ機構部１００も引戸２と一緒に戸開側へと移動し、図１２（Ａ）で示す状態になる。すなわち、捕捉部１３１が被捕捉部材１１の突部１１ａを捕捉する。このとき、スライド部１３２は、被捕捉部材１１の位置で留まり、ケース本体１１０のみが引戸２と一緒に戸開側へと移動する。なお、捕捉部１３１の捕捉用突部１３１ｃは、傾斜溝１１４ａに沿って上側に移動して水平溝１１４ｂに入り込むことで、捕捉部１３１が回動軸１３１ｂを中心に時計回りに回動する。
【００５４】
図１２（Ａ）の状態からさらに引戸２を押し込むと、図１２（Ｂ）に示すようにスライド部１３２に対してケース本体１１０が戸開側へと移動する。これにより、引戸２は引張ばね１３４のばね力によって戸閉側へと常に引っ張られるようになる。
【００５５】
また、ラッチ部１３３のラッチ用突部１３３ｂは、第１溝１５０ａから第４溝１５０ｄまで移動した後、引張ばね１３４のばね力で第５溝１５４内に入り込むみ、Ｙ地点に到達する（第１の経路）。このとき、ラッチ部１３３は、回動軸１３３ｃを中心に時計回りに回動し、ラッチ爪１３３ａがラッチ受け１１７と係合する。これにより、引戸２は開閉方向においてロックされるようになる。
【００５６】
このとき、引張ばね１３４のばね力は、ラッチ爪１３３ａが受ける。すなわち、ラッチ用突部１３３ｂにはばね力による剪断応力が作用しないようにすることで、ラッチ用突部１３３ｂが破損するのを防止している。また、剪断応力が作用しないようにすることで、ラッチ用突部１３３ｂ周辺の構造を小型化することができる。
【００５７】
次に、引戸２を閉じようとするときには、図１２（Ｂ）の状態からさらに引戸２を少しだけ戸開側に押し込むようにする。図１３（Ａ）に示すように、ラッチ用突部１３３ｂは、第５溝１５４から第４溝１５０ｄ、第６溝１５１ａへと移動し、Ｚ地点に到達する。このとき、ラッチ部１３３は回動軸１３３ｃを中心に反時計回りに回動し、ラッチ爪１３３ａとラッチ受け１１７の係合は解除される。また、ラッチ用突部１３３ｂは、第２溝１５０ｂおよび第３溝１５０ｃの登り傾斜によって第１の経路を逆に戻る動きはしない。
【００５８】
ラッチ用突部１３３ｂがＺ地点に到達すると、ケース本体１１０は、引張ばね１３４の張力によって戸閉側へと引き込まれる。これにより、ラッチ用突部１３３ｂは、図１３（Ｂ）に示すように、第７溝１５２ａ、第８溝１５２ｂ、第９溝１５２ｃを通り（第２の経路）再びＸ地点へと戻るようになる。これにより、引戸２は、引張ばね１３４の力で戸閉側へと押し出されるようになる。
【００５９】
一方、引張ばね１３４のばね力よりも大きな力で引戸２が強く開かれた場合、ラッチ用突部１３３ｂがラッチ誘導溝１１５内の壁面に強く当たって破損しないように、衝撃緩和溝１５５が設けられている（図８参照）。より詳細には、ばね力よりも強い力で開かれたとき、ラッチ用突部１３３ｂは、第４溝１５０ｄに到達した後に、第５溝１５４内には移動せずにＺ地点へ移動する。そして、衝撃緩和溝１５５内に入り込むようになる。その後、ラッチ用突部１３３ｂは、第２の経路を辿ってＸ地点に到達する。すなわち、強い力で開かれたときには、ラッチ爪１３３ａをラッチ受け１１７に係合させずにそのまま戸閉方向へと移動する構造になっている。これにより、ラッチ用突部１３３ｂに大きな剪断応力が作用しないようにして、破損を防止している。
【００６０】
本発明の実施の形態に係るプッシュラッチ付引戸クローザー１０では、プッシュラッチ機構部１００および捕捉引込機構部５０を開閉方向に直列に連結し、引戸２の戸閉側の上部に取り付けているので、従来のようにプッシュラッチ機構部１００を引戸２の戸開側の上端部或いは下端部に配置する必要がなくなり、メンテナンス作業等を容易に行うことができる。
【００６１】
以上、本発明の実施形態に係るプッシュラッチ付引戸クローザーについて述べたが、本発明は既述の実施形態に限定されるものではなく、本発明の技術思想に基づいて各種の変形および変更が可能である。
例えば、本実施の形態では、ケース本体１１０の下側にラッチ受け１１７を設け、ラッチ部１３３のラッチ爪１３３ａを下側に回動させて係合させているが、上下逆にして構成しても構わない。この場合、ラッチ誘導溝１１５も上下逆にして構成することで、同等の機能を得ることができる。
【００６２】
また、ラッチ部１３３は上下方向に回動する構造以外であっても、横方向に回動する構造であってもよい。この場合、ラッチ誘導溝１１５は、ケース本体の上側或いは下側に設けるようにすればよい。
【符号の説明】
【００６３】
１  ガイドレール
１ａ  転動面
２  引戸
３  壁部
４  戸袋
１０  プッシュラッチ付引戸クローザー
１１  被捕捉部材
１１ａ  突部
２０  プッシュラッチ付引戸クローザー本体部（本体部）
２１  ガイドローラ
２２  取付ねじ
３０、４０  吊り下げ部
５０  捕捉引込機構部
１００  プッシュラッチ機構部
１１０  ケース本体
１１１  回転軸取付穴
１１２  取付穴
１１３  係合穴
１１４  案内溝
１１４ａ  傾斜溝
１１４ｂ  水平溝
１１５  ラッチ誘導溝
１１６  ばね受け
１１７  ラッチ受け
１１８  スライド溝
１２０  蓋部
１２１回転軸取付穴
１３０  ラッチ機構
１３１  捕捉部
１３１ａ  捕捉爪
１３１ｂ  回動軸
１３１ｃ  捕捉用突部
１３２  スライド部
１３２ａ  ばね受け
１３３  ラッチ
１３３ａ  ラッチ爪
１３３ｂ  ラッチ用突部
１３４  引張ばね
１５０ａ  第１溝
１５０ｂ  第２溝
１５０ｃ  第３溝
１５０ｄ  第４溝
１５１ａ  第６溝
１５２ａ  第７溝
１５２ｂ  第８溝
１５２ｃ  第９溝
１５４  第５溝
１５５  衝撃緩和溝
Ｘ、Ｙ、Ｚ  地点
【図１】
0006607658.tif 000002
【図２】
0006607658.tif 000003
【図３】
0006607658.tif 000004
【図４】
0006607658.tif 000005
【図５】
0006607658.tif 000006
【図６】
0006607658.tif 000007
【図７】
0006607658.tif 000008
【図８】
0006607658.tif 000009
【図９】
0006607658.tif 000010
【図１０】
0006607658.tif 000011
【図１１】
0006607658.tif 000012
【図１２】
0006607658.tif 000013
【図１３】
0006607658.tif 000014